(57)【特許請求の範囲】
【請求項１】
レンズ枠と、
該レンズ枠を駆動方向に対して弾性支持する支持部と、
前記レンズ枠を光軸方向と光軸に交差する方向の一方又は両方に駆動する駆動部とを備え、
前記支持部は、前記レンズ枠を光軸周りに囲む支持部材を備え、
前記レンズ枠の外側面と前記支持部材の内側面に、一方に突出部を設けて他方に凹部を設け、前記凹部内に接触すること無く前記突出部を配置することで前記凹部と前記突出部との間に粘着性部材を溜める粘着性部材収容部を設け、
前記支持部材が、前記レンズ枠を光軸と交差する方向に駆動するための可動支持部材であることを特徴とするレンズ駆動装置。
【請求項２】
前記レンズ枠の外側面には光軸周りにコイルが巻かれており、前記突出部は、前記コイルの巻き範囲の外側に突出するフランジ部から突出していることを特徴とする請求項１記載のレンズ駆動装置。
【請求項３】
前記突出部の中央外側面と前記凹部の中央内側面との間には、光軸方向に沿って粘着性部材を溜める前記粘着性部材収容部が設けられることを特徴とする請求項１又は２のいずれか１項記載のレンズ駆動装置。
【請求項４】
前記凹部は、前記レンズ枠の光軸方向に沿った可動範囲に対して前記突出部が底付きしない底面を有することを特徴とする請求項１〜３のいずれか１項記載のレンズ駆動装置。
【請求項５】
請求項１〜４のいずれか１項に記載されたレンズ駆動装置を備えたカメラ。
【請求項６】
請求項１〜４のいずれか１項に記載されたレンズ駆動装置を備えた電子機器。
【発明の詳細な説明】
【技術分野】
【０００１】
本発明は、レンズ駆動装置に関するものである。
【背景技術】
【０００２】
コイルとマグネットからなる電磁駆動式の駆動部を備えるレンズ駆動装置が知られている。このようなレンズ駆動装置には、レンズ枠を光軸方向に沿って駆動するオートフォーカス用の駆動装置と、レンズ枠を光軸方向に交差する方向に駆動する手振れ補正用の駆動装置があり、下記特許文献１に記載されたカメラは、オートフォーカス用の駆動装置と手振れ補正用の駆動装置を合わせて備えている。
【０００３】
このようなレンズ駆動装置は、レンズ枠が板バネなどの弾性支持部材を介して支持部材に取り付けられており、駆動部が発生する推力と弾性支持部材の弾性力が釣り合ったところでレンズ枠の位置を制御する。下記特許文献１に記載された従来技術は、オートフォーカス用レンズ駆動装置全体を、光軸に直交し、かつ互いに直交する第１の方向（Ｘ方向）及び第２の方向（Ｙ方向）に移動させることにより、手振れ補正を行うようにした手振れ補正装置であって、オートフォーカス用レンズ駆動装置の底面部で離間して配置されたベースと、このベースの外周部で一端が固定され、光軸に沿って延在し、オートフォーカス用レンズ駆動装置全体を第１の方向（Ｘ方向）及び第２の方向（Ｙ方向）に揺動可能に支持する複数本のサスペンションワイヤを備えている。
【０００４】
また、この従来技術は、フォーカスコイルが周囲に巻かれたレンズ枠が、オートフォーカス用の板バネを介してレンズ枠の周囲に配置されるマグネットホルダに支持されており、レンズ枠の前端を支持する板バネの外周部にサスペンションワイヤの前端が固定されている。これによりオートフォーカス用レンズ駆動装置は、板バネを介してレンズ枠を弾性支持するマグネットホルダが光軸方向に延在する複数のサスペンションワイヤの前端に宙吊り状態で支持されている。
【先行技術文献】
【特許文献】
【０００５】
【特許文献１】特開２０１１−６５１４０号公報
【発明の概要】
【発明が解決しようとする課題】
【０００６】
従来のレンズ駆動装置は、レンズ枠が板バネなどの弾性支持部材を介して支持されているため、レンズ枠が光軸に対して交差する方向の力を受けると、レンズ枠に振動が発生し、レンズ枠を安定して光軸方向に動かすことができなくなる。また、前述したように手ぶれ補正を行うものでは、手ぶれ補正のための駆動がレンズ枠の振動の振動源になるので、レンズ枠を光軸方向に沿って安定的に動かすことがより難しくなる。特に、レンズ駆動装置の小型化・軽量化の要求によって駆動部が小型化されて推力が小さくなっており、これに対応するためには板バネの力量を弱くする必要があるが、このような事情によってもレンズ枠は振動が生じ易くなっている。
【０００７】
本発明は、このような問題に対処することを課題の一例とするものである。すなわち、レンズ枠の振動を抑制してレンズ枠を光軸方向に安定的に動かすこと、板バネの力量に影響を与えること無くレンズ枠の振動を効果的に抑制すること、等が本発明の目的である。
【課題を解決するための手段】
【０００８】
このような目的を達成するために、本発明によるレンズ駆動装置は、以下の構成を具備するものである。
レンズ枠と、該レンズ枠を駆動方向に対して弾性支持する支持部と、前記レンズ枠を光軸方向と光軸に交差する方向の一方又は両方に駆動する駆動部とを備え、前記支持部は、前記レンズ枠を光軸周りに囲む支持部材を備え、前記レンズ枠の外側面と前記支持部材の内側面に、一方に突出部を設けて他方に凹部を設け、前記凹部内に接触すること無く前記突出部を配置することで前記凹部と前記突出部との間に粘着性部材を溜める粘着性部材収容部を設け、前記支持部材が、前記レンズ枠を光軸と交差する方向に駆動するための可動支持部材であることを特徴とするレンズ駆動装置。
【図面の簡単な説明】
【０００９】
【図１】本発明の実施形態に係るレンズ駆動装置の分解斜視図である。
【図２】本発明の実施形態に係る全体構成を示した説明図（（ａ）が平面図、（ｂ）が（ａ）のＸ−Ｘ断面図）である。
【図３】本発明の実施形態に係るレンズ駆動装置における可動支持部材と板バネを示した説明図（（ａ）が前側板バネ１１，１２をレンズ枠２と可動支持部材１０に装着した状態を示した平面図であり、（ｂ）が前側板バネ１１，１２を外した状態のレンズ枠２と可動支持部材１０の平面図）である。
【図４】本発明の実施形態に係るレンズ駆動装置におけるレンズ枠の周囲に配置される可動支持部材と板バネ（前側板バネ１１，１２）の側面図である。
【図５】粘着性部材溜まりを形成する突出部と凹部を詳細に示した説明図（（ａ）が平面図、（ｂ），（ｃ）が（ａ）のＸ−Ｘ断面図）である。
【図６】本発明の実施形態に係るレンズ駆動装置を備えた電子機器を示した説明図（（ａ）がカメラ、（ｂ）が携帯情報端末）である。
【発明を実施するための形態】
【００１０】
以下、図面を参照して本発明の実施形態を説明する。図１は、本発明の実施形態に係るレンズ駆動装置の分解斜視図を示しており、図２は、本発明の実施形態に係る全体構成を示している（（ａ）が平面図、（ｂ）が（ａ）のＸ−Ｘ断面図）。
【００１１】
レンズ駆動装置１は、レンズ枠２、支持部３、駆動部４を備えている。レンズ枠２は、図示省略したレンズバレルを取り付けるレンズバレル取り付け口２Ｓを備える。レンズバレル取り付け口２Ｓの中心軸がレンズの光軸になる。以後、レンズの物体側を「前」として説明し、レンズの像側を「後」として説明する。図においては、光軸方向をＺ方向で示し、光軸に交差する方向をＸ，Ｙ方向で示す。
【００１２】
駆動部４は、レンズ枠２を光軸方向と光軸に交差する方向の一方又は両方に駆動する。図示の例は、光軸方向に駆動するオートフォーカス用の駆動部と光軸に交差する方向に駆動する手振れ補正用の駆動部を備える例を示しているが、これに限らずオートフォーカス用の駆動部のみであってもよい。図示の例では、駆動部４は、レンズ枠２の外側面に光軸周りに巻かれたフォーカスコイル２０、レンズ枠２の周囲に配置される４個のマグネット２１、４個のマグネット２１のうち磁界の方向が直交する２個の後方にそれぞれ配置される手振れ補正コイル２２（２２Ａ，２２Ｂ）を備えている。
【００１３】
支持部３は、レンズ枠２を駆動部４の駆動方向に対して弾性支持する。駆動部４の推力と支持部３の弾性力の釣り合いでレンズ枠２の位置が制御される。図示の例は、レンズ枠２を光軸方向と光軸に交差する方向に沿って弾性的に支持する例を示しているが、これに限らず、レンズ枠２を光軸方向にのみ弾性的に支持するものであってもよい。
【００１４】
図示の例では、支持部３は、可動支持部材１０、前側板バネ（板バネ）１１，１２、後側板バネ（板バネ）１３、支持ワイヤー１４、ベース支持部材１５を備えている。可動支持部材１０は、レンズ枠２を光軸周りに囲んで、レンズ枠２を光軸方向に弾性支持し、自身が光軸と交差する方向に弾性支持される。図示の可動支持部材１０は光軸周りに角部を有する矩形状になっており、角部が前述したマグネット２１を保持するマグネット保持部１０Ｐになっている。
【００１５】
可動支持部材１０の前端取り付け部１０Ａ，１０Ｂには、前側板バネ１１の外側取り付け部１１Ａ，１１Ｂが取り付けられ、前側板バネ１１の内側取り付け部１１Ｃがレンズ枠２の前面２Ａに設けられる前側取り付け部２Ａ１に取り付けられる。可動支持部材１０の前端取り付け部１０Ｃ，１０Ｄには、前側板バネ１２の外側取り付け部１２Ｂ，１２Ａが取り付けられ、前側板バネ１２の内側取り付け部１２Ｃがレンズ枠２の前面２Ａに設けられる前側取り付け部２Ａ２に取り付けられる。
【００１６】
前側板バネ１１は、外側取り付け部１１Ａ，１１Ｂと内側取り付け部１１Ｃとの間に弾性部１１Ｄ，１１Ｅを備えており、同様に、前側板バネ１２は、外側取り付け部１２Ａ，１２Ｂと内側取り付け部１２Ｃとの間に弾性部１２Ｅ，１２Ｄを備えている。
【００１７】
可動支持部材１０の後端取り付け部１０Ｅには、後側板バネ１３の外側取り付け部１３Ａが取り付けられ、後側板バネ１３の内側取り付け部１３Ｂがレンズ枠２の後面に設けられる後側取り付け部２Ｃに取り付けられる。後側板バネ１３は、外側取り付け部１３Ａと内側取り付け部１３Ｂの間に弾性部１３Ｃを備えている。
【００１８】
レンズ枠２の前側が、弾性部１１Ｄ，１１Ｅ，１２Ｄ，１２Ｅを備える前側板バネ１１，１２を介して可動支持部材１０の前側に支持されており、レンズ枠２の後側が弾性部１３Ｃを備える後側板バネ１３を介して可動支持部材１０の後側に支持されている。これによって、光軸方向の駆動に対してはレンズ枠２が可動支持部材１０に弾性的に支持されている。
【００１９】
ベース支持部材１５は、レンズ枠２及び可動支持部材１０の後側に配置され、底板１５Ｂにレンズを通った光を通過させる中央開口１５Ａを備えている。図示の例では、ベース支持部材１５は、可動支持部材１０と同様に、光軸周りに角部を有する矩形状になっており、角部にワイヤー保持部１５Ｃを備えている。
【００２０】
支持ワイヤー１４（１４Ａ，１４Ｂ，１４Ｃ，１４Ｄ）は、湾曲に対して弾性を有しており、後端がベース支持部材１５のワイヤー保持部１５Ｃに保持されて光軸に沿って立設されている。そして、支持ワイヤー１４Ａ，１４Ｂ，１４Ｃ，１４Ｄの前端は、可動支持部材１０に取り付けられている前側板バネ１１，１２の外側取り付け部１１Ａ，１２Ａ，１１Ｂ，１２Ｂに取り付けられており、支持ワイヤー１４がレンズ枠２を弾性支持する可動支持部材１０を宙吊り状に支持している。これによって、レンズ枠２は支持ワイヤー１４の弾性的な湾曲によって光軸に交差する方向の駆動に対して弾性的に支持されている。
【００２１】
ベース支持部材１５は、外部接続端子１５Ｆを備え、底板１５Ｂに外部接続端子１５Ｆと接続する回路を備えることで、駆動部４への給電端部を構成している。独立した複数の端子を有する外部接続端子１５Ｆの一部は、底板１５Ｂが備える回路を経由してベース支持部材１５のコイル支持部１５Ｄに支持される手振れ補正コイル２２（２２Ａ，２２Ｂ）の両端に接続されており、この手振れ補正コイル２２の給電端子になっている。
【００２２】
また、外部接続端子１５Ｆの一部は、底板１５Ｂが備える回路からワイヤー保持部１５Ｃに保持された支持ワイヤー１４Ａ，１４Ｂと前側板バネ１１，１２を経由してフォーカスコイル２０の両端に接続されており、このフォーカスコイル２０の給電端子になっている。
【００２３】
更に、外部接続端子１５Ｆの一部は、底板１５Ｂが備える回路を経由してベース支持部材１５のセンサー支持部１５Ｅに支持される位置検出センサー６（６Ａ，６Ｂ）に接続されており、位置検出センサー６（６Ａ，６Ｂ）の入出力端子になっている。
【００２４】
フォーカスコイル２０と手振れ補正コイル２２への給電をそれぞれ独立して制御することで、レンズ枠２のフォーカス制御と手振れ補正制御をそれぞれ行うことができる。その際、手振れ補正制御は位置検出センサー６（６Ａ，６Ｂ）の検出信号によるフィードバック制御がなされる。ベース支持部材１５の後方にはフィルター枠Ｆが装着され、更にその後方には図示省略した撮像素子が装着される。また、可動支持部材１０の外周を囲むように中央開口５Ａを備える保護枠５がベース支持部材１５に装着されている。
【００２５】
図３及び図４は、レンズ枠２の周囲に配置される可動支持部材１０と板バネ（前側板バネ１１，１２）を示している。図３（ａ）が前側板バネ１１，１２をレンズ枠２と可動支持部材１０に装着した状態を示した平面図であり、図３（ｂ）が前側板バネ１１，１２を外した状態のレンズ枠２と可動支持部材１０の平面図である。図４は、レンズ枠２の周囲に配置される可動支持部材１０と板バネ（前側板バネ１１，１２）の側面図である。
【００２６】
前側板バネ１１，１２の外側取り付け部１１Ａ，１１Ｂ，１２Ａ，１２Ｂは、支持ワイヤー１４の先端に固定される角部４０と、可動支持部材１０の前端に固定される固定部４１と、固定部４１と角部４０とを弾性的に連結する一対の腕部４２と、一対の腕部４２間を連結する連結部４３とを備えている。角部４０は、可動支持部材１０の角部１０Ｈに対応した位置に配置されており、略三角形状の外側取り付け部１１Ａ，１１Ｂ，１２Ａ，１２Ｂの頂点に位置している。固定部４１は、略三角形状の外側取り付け部１１Ａ，１１Ｂ，１２Ａ，１２Ｂの中央部に位置しており、可動支持部材１０の前端取り付け部１０Ａ，１０Ｂ，１０Ｃ，１０Ｄにおける取り付け面１０Ｊに固定されている。
【００２７】
一対の腕部４２は、略三角形状の外側取り付け部１１Ａ，１１Ｂ，１２Ａ，１２Ｂの外周部に位置しており、可動支持部材１０の前端に固定される固定部４１に対して角部４０の位置を上下に変位できるように、固定部４１と角部４０とを弾性的に連結している。連結部４３は、一対の腕部４２の間をアーチ状に連結しており、連結部４３と角部４０との間には開口が形成されている。
【００２８】
これに対して、前側板バネ１１，１２の外側取り付け部１１Ａ，１１Ｂ，１２Ａ，１２Ｂが取り付けられる可動支持部材１０の前端取り付け部１０Ａ，１０Ｂ，１０Ｃ，１０Ｄは、角部１０Ｈが平面視で凹状に形成されてその内側が支持ワイヤー１４の配置スペースになっており、その上に前側板バネ１１，１２の角部４０が配置されて支持ワイヤー１４の先端に固定されている。角部１０Ｈの近接位置には、前側板バネ１１，１２の一対の腕部４２の外側に突出するように回転止め凸部１０Ｇが角部１０Ｈ毎に一対設けられ、この回転止め凸部１０Ｇによって前側板バネ１１，１２の腕部４２などが保護されている。
【００２９】
そして、可動支持部材１０の前端取り付け部１０Ａ，１０Ｂ，１０Ｃ，１０Ｄには、前側板バネ１１，１２における一対の腕部４２の下に位置して腕部４２との間に隙間を設ける段部１０Ｋと、前側板バネ１１，１２における連結部４３の下に位置して連結部４３に沿って凹んだ粘着性部材溜まり１０Ｌが設けられている。
【００３０】
可動支持部材１０における段部１０Ｋは、前側板バネ１１，１２の固定部４１が固定される取り付け面１０Ｊから一段下がって形成され、前側板バネ１１，１２における腕部４２の湾曲を許容するだけの凹みを有している。また、粘着性部材溜まり１０Ｌは取り付け面１０Ｊから下がって段部１０Ｋの凹みより更に深い凹みを有しており、粘着性部材溜まり１０Ｌの外側には取り付け面１０Ｊと面一の高さを有する壁部１０Ｎが設けられている。この壁部１０Ｎは前側板バネ１１，１２の角部４０と連結部４３の間の開口内に位置している。粘着性部材溜まり１０Ｌには振動減衰用の粘着性部材が溜められ、その粘着性部材が粘着性部材溜まり１０Ｌ上に位置する前側板バネ１１，１２の連結部４３に接触するように溜められる。
【００３１】
粘着性部材溜まり１０Ｌは、取り付け面１０Ｊとの段差が内壁になっており、壁部１０Ｎとの段差が外壁になっている。更に粘着性部材溜まり１０Ｌは、段部１０Ｋとの段差が左右の壁になっている。このように粘着性部材溜まり１０Ｌは周囲に壁を有する凹みになっているので、その中に溜められて比較的高い粘性を有する振動減衰用の粘着性部材は、外に流れ出ること無く粘着性部材溜まり内に収まった状態を維持することができる。
【００３２】
可動支持部材１０の内側に配置されるレンズ枠２には、その外側面の四方にストッパー突起２Ｂと振動減衰用の突出部３０を設けており、可動支持部材１０には、そのストッパー突起２Ｂに対応してストッパー受け１０Ｍを設け、突出部３０に対応して内側面に凹部３１を設けている。可動支持部材１０に設けられたストッパー受け１０Ｍは、レンズ枠２に設けられたストッパー突起２Ｂが当たることで、可動支持部材１０内でのレンズ枠２の過剰な動きを規制している。レンズ枠２の光軸方向の可動範囲は、ストッパー受け１０Ｍの底面１０Ｍ１にストッパ突起２Ｂのストッパ面２Ｂ２が当たることで規制されており、レンズ枠２の光軸に交差する方向の可動範囲はストッパー受け１０Ｍの側面にストッパ突起２Ｂのストッパ面２Ｂ１が当たることで規制されている。
【００３３】
可動支持部材１０に設けた凹部３１とその中に突出する突出部３０との間には振動減衰用の粘着性部材が収容する粘着性部材収容部３２が設けられ、この粘着性部材によってレンズ枠２の不要な振動を抑制している。ここでは、可動支持部材１０の内側面に凹部３１を設けてレンズ枠２の外側面に突出部３０を設けているが、その逆に、レンズ枠２の内側面に凹部３１を設けて可動支持部材１０の外側面に突出部３０を設けてもよい。
【００３４】
図５は、粘着性部材収容部３２を形成する突出部と凹部を詳細に示した説明図（（ａ）が平面図、（ｂ），（ｃ）が（ａ）のＸ−Ｘ断面図）である。凹部３１は突出部３０に対して広い幅を備えており、光軸に交差する方向における凹部３１内での突出部３０との隙間Ｓ１，Ｓ２は、光軸に交差する方向におけるレンズ枠２の可動範囲より大きく設定されている。また、光軸方向における凹部３１の底面３３と突出部３０の底面との隙間Ｓ３も、光軸方向におけるレンズ枠２の可動範囲より大きく設定されており、凹部３１は、レンズ枠２の光軸方向に沿った可動範囲に対して突出部３０が底付きしない底面３３を有している。これによって、常時凹部３１内に接触すること無く突出部３０が配置されている。ここで、可動支持部材１０に対するレンズ枠２の可動範囲は、前述したストッパー突起２Ｂとストッパー受け１０Ｍによって規制されている。
【００３５】
そして、突出部３０の中央外側面と凹部３１の中央内側面との間には、光軸方向に沿って粘着性部材Ｇを溜める粘着性部材収容部３２が設けられている。突出部３０の中央先端には先端凹部３０Ａが形成されており、この先端凹部３０Ａと凹部３１の内面との間が粘着性部材収容部３２になる。レンズ枠２の外側面には光軸周りにフォーカスコイル２０が巻かれているが、突出部３０は、フォーカスコイル２０の巻き範囲の外側に突出するフランジ部３４から突出して形成されている。
【００３６】
このように可動支持部材１０内に配置されるレンズ枠２は、可動支持部材１０に直接接触すること無く、光軸方向に沿って移動できるようになっており、これによってレンズ枠２の光軸方向に沿った駆動力の低減を図っている。また、可動支持部材１０とレンズ枠２との間には、突出部３０と凹部３１との間に振動減衰用の粘着性部材Ｇを溜める粘着性部材収容部３２が形成されているので、レンズ枠２に振動が生じてもこの振動を速やかに減衰させることができ、レンズ枠２を振れなく安定して動作させることができる。
【００３７】
凹部３１内に配置される突出部３０は、常時凹部３１の内面に突出部３０が接触しないように可動範囲が規制されているので、突出部３０と凹部３１との間に配置される粘着性部材Ｇが衝撃や振動によって凹部３１の外に流れ出すことがない。
【００３８】
また、可動支持部材１０内でのレンズ枠２のオートフォーカス動作において、可動支持部材１０に対してレンズ枠２が最もベース支持部材１５側に移動した場合でも、図５（ｃ）に示すように凹部３１の底面３３と突出部３０の底面との隙間Ｓ３が確保されているので、レンズ枠２のオードフォーカス動作によって凹部３１内の粘着性部材Ｇが外に流れ出すことがない。また常時隙間Ｓ３が確保されていることで、オートフォーカス動作でレンズ枠２が図５（ｃ）に示すように末端まで移動した場合にも再度の始動時にヒステリシスが発生しない。
【００３９】
レンズ枠２に設けられる突出部３０は、フォーカスコイル２０の巻き範囲の外側に突出するフランジ部３４から突出しているので、フォーカスコイル２０の巻き方向に沿って粘着性部材Ｇが流れて拡がってしまうような不具合も生じない。
【００４０】
このように本発明の実施形態に係るレンズ駆動装置１は、レンズ枠２の振動を抑制してレンズ枠２を光軸方向に安定的に動かすことができ、レンズ枠２を弾性的に支持する板バネの力量に影響を与えること無くレンズ枠２の振動を効果的に抑制することができる。
【００４１】
図６は、本発明の実施形態に係るレンズ駆動装置１を備えた電子機器を示している。本発明の実施形態に係るレンズ駆動装置１は、図５（ａ）に示したカメラ１００に搭載することで、小型化が可能になると共に、高いオートフォーカス性能或いは手振れ補正性能を得ることができる。また、図５（ｂ）に示した携帯情報端末（携帯電話、スマートフォンなどを含む）２００に搭載することで、機器全体の薄型化、カメラ機能部分の高機能化及び省スペース化が可能になる。
【００４２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。なお、前述した実施形態における粘着性部材は、紫外線硬化性樹脂や熱硬化性樹脂、グリスなどで、制振性を有する部材であればよい。
【符号の説明】
【００４３】
１：レンズ駆動装置，２：レンズ枠，２Ａ：前面，
２Ｂ：ストッパー突起，２Ｂ１，２Ｂ２：ストッパー面，
２Ａ１，２Ａ２：前側取り付け部，２Ｓ：レンズバレル取り付け口，
２Ｃ：後側取り付け部，
３：支持部，４：駆動部，５：保護枠，５Ａ：中央開口，
６（６Ａ，６Ｂ）：位置検出センサー，
１０：可動支持部材，１０Ａ，１０Ｂ，１０Ｃ，１０Ｄ：前端取り付け部，
１０Ｅ：後端取り付け部，１０Ｐ：マグネット保持部，
１０Ｆ：外周面，１０Ｇ：回転止め凸部，１０Ｈ：角部，
１０Ｊ：取り付け面，１０Ｋ：段部，１０Ｌ：粘着性部材溜まり，
１０Ｍ：ストッパー受け，
１１，１２：前側板バネ（板バネ），
１１Ａ，１１Ｂ，１２Ａ，１２Ｂ：外側取り付け部，
１１Ｃ，１２Ｃ：内側取り付け部，
１１Ｄ，１１Ｅ，１２Ｄ，１２Ｅ：弾性部，
１３：後側板バネ（板バネ），
１３Ａ：外側取り付け部，１３Ｂ：内側取り付け部，
１３Ｃ：弾性部，１４（１４Ａ，１４Ｂ，１４Ｃ，１４Ｄ）：支持ワイヤー，
１５：ベース支持部材，１５Ａ：中央開口，１５Ｂ：底板，
１５Ｃ：ワイヤー保持部，１５Ｄ：コイル支持部，１５Ｅ：センサー支持部，
１５Ｆ：外部接続端子，
２０：フォーカスコイル，２１：マグネット，
２２（２２Ａ，２２Ｂ）：手振れ補正コイル，
３０：突出部，３０Ａ：先端凹部，３１：凹部，Ｓ１，Ｓ２，Ｓ３：隙間，
３２：粘着性部材収容部，３３：底面，３４：フランジ部，
４０：角部，４１：固定部，４２：腕部，４３：連結部，
Ｆ：フィルター枠，１００：カメラ，２００：携帯情報端末，Ｇ：粘着性部材
【図１】
0006353721.tif 000002
【図２】
0006353721.tif 000003
【図３】
0006353721.tif 000004
【図４】
0006353721.tif 000005
【図５】
0006353721.tif 000006
【図６】
0006353721.tif 000007